(57)【特許請求の範囲】
【請求項１】
片流れ屋根の野地板に屋根裏と連通する換気口を設け、前記片流れ屋根の棟頂部に棟桟を取り付け、前記棟桟に冠瓦を配置する瓦用片流れ換気棟であって、
前記片流れ屋根に施工される屋根瓦と前記冠瓦との間に設置される換気部材と、
前記片流れ屋根の壁面に施工される破風板と前記冠瓦との隙間を封止する壁側用板金と
を備え、
前記壁側用板金が、
前記野地板に載置される野地面載置板材と、
前記野地面載置板材の端部と連接されて前記冠瓦に近接する方向に延出する垂直板材と、
前記垂直板材の端部と連接されて前記壁面の外方向に延出する傾斜板材と、
前記傾斜板材の端部と連接されて前記壁面に配置される垂下板材と、
前記垂下板材と平行に配置されて破風下地に固定される破風下地固定板材と、
前記垂下板材と前記破風下地固定板材とを連接する連接板材と
を有し、
前記野地面載置板材に換気開口を形成することを特徴とする瓦用片流れ換気棟。
【請求項２】
前記垂直板材と前記破風下地固定板材との間に空間を形成し、
前記空間には、破風下地の上端部又は前記野地板の上端部を配置できることを特徴とする請求項１に記載の瓦用片流れ換気棟。
【請求項３】
板材を断面Ｌ字状に折り曲げることで形成される一片を設置用板材、他片を捨水切用板材とし、
前記設置用板材の両端を端部から所定寸法の位置で切断し、前記捨水切用板材の両端を端部から前記所定寸法の位置で折り曲げることで、前記捨水切用板材を前記設置用板材から立ち上げ、
前記捨水切用板材を前記換気開口の外周に配置し、
前記設置用板材を前記野地面載置板材に載置することを特徴とする請求項１又は請求項２に記載の瓦用片流れ換気棟。
【請求項４】
前記冠瓦として三角冠瓦又は７寸丸冠瓦を用い、
前記傾斜板材を前記三角冠瓦又は７寸丸冠瓦の内周面に当接させることを特徴とする請求項１から請求項３のいずれかに記載の瓦用片流れ換気棟。
【請求項５】
前記棟桟の上面の一部から前記傾斜板材の上面の一部までを柔軟性のあるテープ状防水部材で覆うことを特徴とする請求項４に記載の瓦用片流れ換気棟。
【請求項６】
前記冠瓦として片流れ冠瓦を用い、
前記垂下板材を前記片流れ冠瓦の内周面に当接させることを特徴とする請求項１から請求項３のいずれかに記載の瓦用片流れ換気棟。
【請求項７】
前記棟桟の上面の一部から前記垂下板材の外面の一部までを柔軟性のあるテープ状防水部材で覆うことを特徴とする請求項６に記載の瓦用片流れ換気棟。
【発明の詳細な説明】
【技術分野】
【０００１】
本発明は、建造物の屋根頂部に設置する瓦用片流れ換気棟に関する。
【背景技術】
【０００２】
例えば特許文献１に開示されているように、一般的な両流れの屋根に使用される換気部材をそのまま用いることができる片流れ屋根の棟構造が提案されている。
特許文献１は、片流れ屋根の屋根下地に屋根裏と連通する換気口を設け、片流れ屋根の棟頂部において屋根下地の上に棟桟を取り付け、棟桟に水切り材を取り付けると共に棟桟の棟側の側面から片流れ屋根の棟側の端面にかけての間を水切り材で覆うものである。そして内外に通じる通気経路を有し、断面形状が対称に形成される換気部材を棟桟に跨らせて取り付けると共に、換気部材で換気口と水切り材を覆っている。
【先行技術文献】
【特許文献】
【０００３】
【特許文献１】特開２０１０−７４２９号公報
【発明の概要】
【発明が解決しようとする課題】
【０００４】
しかし、特許文献１で提案する片流れ屋根の棟構造は、粘土瓦屋根に用いられている冠瓦を用いるものではない。
【０００５】
本発明は、粘土瓦屋根に用いられている既存の冠瓦を用い、仕様の異なる冠瓦にも対応させることができる瓦用片流れ換気棟を提供することを目的とする。
【課題を解決するための手段】
【０００６】
請求項１記載の本発明の瓦用片流れ換気棟は、片流れ屋根の野地板に屋根裏と連通する換気口を設け、前記片流れ屋根の棟頂部に棟桟を取り付け、前記棟桟に冠瓦を配置する瓦用片流れ換気棟であって、前記片流れ屋根に施工される屋根瓦と前記冠瓦との間に設置される換気部材と、前記片流れ屋根の壁面に施工される破風板と前記冠瓦との隙間を封止する壁側用板金とを備え、前記壁側用板金が、前記野地板に載置される野地面載置板材と、前記野地面載置板材の端部と連接されて前記冠瓦に近接する方向に延出する垂直板材と、前記垂直板材の端部と連接されて前記壁面の外方向に延出する傾斜板材と、前記傾斜板材の端部と連接されて前記壁面に配置される垂下板材と、前記垂下板材と平行に配置されて破風下地に固定される破風下地固定板材と、前記垂下板材と前記破風下地固定板材とを連接する連接板材とを有し、前記野地面載置板材に換気開口を形成することを特徴とする。
請求項２記載の本発明は、請求項１に記載の瓦用片流れ換気棟において、前記垂直板材と前記破風下地固定板材との間に空間を形成し、前記空間には、破風下地の上端部又は前記野地板の上端部を配置できることを特徴とする。
請求項３記載の本発明は、請求項１又は請求項２に記載の瓦用片流れ換気棟において、板材を断面Ｌ字状に折り曲げることで形成される一片を設置用板材、他片を捨水切用板材とし、前記設置用板材の両端を端部から所定寸法の位置で切断し、前記捨水切用板材の両端を端部から前記所定寸法の位置で折り曲げることで、前記捨水切用板材を前記設置用板材から立ち上げ、前記捨水切用板材を前記換気開口の外周に配置し、前記設置用板材を前記野地面載置板材に載置することを特徴とする。
請求項４記載の本発明は、請求項１から請求項３に記載の瓦用片流れ換気棟において、前記冠瓦として三角冠瓦又は７寸丸冠瓦を用い、前記傾斜板材を前記三角冠瓦又は７寸丸冠瓦の内周面に当接させことを特徴とする。
請求項５記載の本発明は、請求項４に記載の瓦用片流れ換気棟において、前記棟桟の上面の一部から前記傾斜板材の上面の一部までを柔軟性のあるテープ状防水部材で覆うことを特徴とする。
請求項６記載の本発明は、請求項１から請求項３のいずれかに記載の瓦用片流れ換気棟において、前記冠瓦として片流れ冠瓦を用い、前記垂下板材を前記片流れ冠瓦の内周面に当接させることを特徴とする。
請求項７記載の本発明は、請求項６に記載の瓦用片流れ換気棟において、前記棟桟の上面の一部から前記垂下板材の外面の一部までを柔軟性のあるテープ状防水部材で覆うことを特徴とする。
【発明の効果】
【０００７】
本発明の瓦用片流れ換気棟によれば、仕様の異なる冠瓦に対応させることができ、野地面載置板材に換気開口を形成しているため、換気口に対する換気開口の位置決めが容易にでき、施工性が向上する。
【図面の簡単な説明】
【０００８】
【図１】本発明の一実施例による瓦用片流れ換気棟に用いる壁側用板金を示す説明図
【図２】本実施例による瓦用片流れ換気棟を設置した状態を示す断面図
【図３】本実施例による瓦用片流れ換気棟を設置した状態を示す断面図
【図４】本発明の他の実施例による瓦用片流れ換気棟を設置した状態を示す断面図
【図５】本発明の更に他の実施例による瓦用片流れ換気棟を設置した状態を示す断面図
【図６】本発明の更に他の実施例による瓦用片流れ換気棟を設置した状態を示す断面図
【発明を実施するための形態】
【０００９】
本発明の第１の実施の形態による瓦用片流れ換気棟は、片流れ屋根に施工される屋根瓦と冠瓦との間に設置される換気部材と、片流れ屋根の壁面に施工される破風板と冠瓦との隙間を封止する壁側用板金とを備え、壁側用板金が、野地板に載置される野地面載置板材と、野地面載置板材の端部と連接されて冠瓦に近接する方向に延出する垂直板材と、垂直板材の端部と連接されて壁面の外方向に延出する傾斜板材と、傾斜板材の端部と連接されて壁面に配置される垂下板材と、垂下板材と平行に配置されて破風下地に固定される破風下地固定板材と、垂下板材と破風下地固定板材とを連接する連接板材とを有し、野地面載置板材に換気開口を形成するものである。本実施の形態によれば、換気部材と壁側用板金とをそれぞれ分離した独立部材で構成し、換気部材は、屋根瓦と冠瓦との間に設置し、野地板に載置される野地面載置板材によって破風板と冠瓦との隙間を封止することで、異なる仕様の冠瓦に用いることができる。また、野地面載置板材に換気開口を形成しているため換気口に対する換気開口の位置決めが容易にでき、施工性が向上する。
【００１０】
本発明の第２の実施の形態は、第１の実施の形態による瓦用片流れ換気棟において、垂直板材と破風下地固定板材との間に空間を形成し、空間には、破風下地の上端部又は野地板の上端部を配置できるものである。本実施の形態によれば、破風下地が野地板よりも上方に突出している場合でも、野地板が破風下地の上方に延出している場合でも施工できる。
【００１１】
本発明の第３の実施の形態は、第１又は第２の実施の形態による瓦用片流れ換気棟において、板材を断面Ｌ字状に折り曲げることで形成される一片を設置用板材、他片を捨水切用板材とし、設置用板材の両端を端部から所定寸法の位置で切断し、捨水切用板材の両端を端部から所定寸法の位置で折り曲げることで、捨水切用板材を設置用板材から立ち上げ、捨水切用板材を換気開口の外周に配置し、設置用板材を野地面載置板材に載置するものである。本実施の形態によれば、捨水切用板材と、この捨水切用板材を設置するための設置用板材とを１枚の板材で形成することができ、製作が容易であるとともに施工性が向上する。
【００１２】
本発明の第４の実施の形態は、第１から第３のいずれかの実施の形態による瓦用片流れ換気棟において、冠瓦として三角冠瓦又は７寸丸冠瓦を用い、傾斜板材を三角冠瓦又は７寸丸冠瓦の内周面に当接させるものである。本実施の形態によれば、片流れ屋根に対して、両棟で多く用いられている三角冠瓦又は７寸丸冠瓦を用いることができる。
【００１３】
本発明の第５の実施の形態は、第４の実施の形態による瓦用片流れ換気棟において、棟桟の上面の一部から傾斜板材の上面の一部までを柔軟性のあるテープ状防水部材で覆うものである。本実施の形態によれば、柔軟性のあるテープ状防水部材を用いることで、異なる仕様の冠瓦に用いても防水性能を確保できる。
【００１４】
本発明の第６の実施の形態は、第１から第３のいずれかの実施の形態による瓦用片流れ換気棟であって、冠瓦として片流れ冠瓦を用い、垂下板材を片流れ冠瓦の内周面に当接させるものである。本実施の形態によれば、片流れ冠瓦にも用いることができる。
【００１５】
本発明の第７の実施の形態は、第６の実施の形態による瓦用片流れ換気棟であって、棟桟の上面の一部から垂下板材の外面の一部までを柔軟性のあるテープ状防水部材で覆うものである。本実施の形態によれば、柔軟性のあるテープ状防水部材を用いることで、異なる仕様の冠瓦に用いても防水性能を確保できる。
【実施例】
【００１６】
以下本発明の一実施例による瓦用片流れ換気棟について説明する。
図１は本実施例による瓦用片流れ換気棟に用いる壁側用板金を示す説明図である。
図１（ａ）、（ｂ）は捨水切用板材の製作過程を示し、図１（ｃ）は壁側用板金本体を示し、図１（ｄ）は捨水切用板材と壁側用板金本体とを組み合わせて完成させた壁側用板金を示している。
【００１７】
図１（ａ）に示すように、板材１０を断面Ｌ字状に折り曲げることで形成される一片を設置用板材１１、他片を捨水切用板材１２としている。設置用板材１１の両端を端部から所定寸法の位置で切断し、捨水切用板材１２の両端を端部から所定寸法の位置で折り曲げることで、図１（ｂ）に示すように、捨水切用板材１２を設置用板材１１から立ち上げている。
本実施例によれば、捨水切用板材１２と、この捨水切用板材１２を設置するための設置用板材１１とを１枚の板材で形成することができ、製作が容易であるとともに施工性が向上する。
【００１８】
図１（ｃ）に示すように、壁側用板金本体２０は、野地板に載置される野地面載置板材２１と、野地面載置板材２１の端部と連接されて冠瓦に近接する方向に延出する垂直板材２２と、垂直板材２２の端部と連接されて壁面の外方向に延出する傾斜板材２３と、傾斜板材２３の端部と連接されて壁面に配置される垂下板材２４と、垂下板材２４と平行に配置されて破風下地に固定される破風下地固定板材２５と、垂下板材２４と破風下地固定板材２５とを連接する連接板材２６とを有している。
野地面載置板材２１には換気開口２７を形成している。換気開口２７は、野地面載置板材２１の端部、すなわち垂直板材２２に接する位置に形成している。
連接板材２６の下方で、垂下板材２４と破風下地固定板材２５との間には、破風板のみこみ部Ａを形成している。
また、垂直板材２２と破風下地固定板材２５との間には、空間Ｂを形成している。
【００１９】
図１（ｄ）に示すように、捨水切用板材１２を換気開口２７の外周に配置し、設置用板材１１を野地面載置板材２１に載置して固定する。
少なくとも、野地面載置板材２１、垂直板材２２、傾斜板材２３、及び垂下板材２４は一枚の板材を折り曲げて形成されている。
【００２０】
図２及び図３は、本実施例による瓦用片流れ換気棟を設置した状態を示す断面図である。
片流れ屋根は、垂木２を斜め下方に傾斜して設け、垂木２の上部には野地板３を設け、野地板３の上方には屋根瓦４が敷設されている。
垂木２の棟側端面には破風下地５を設けている。破風下地５の屋外側面には、破風板６が配置される。
片流れ屋根の棟頂部には棟桟７を取り付け、棟桟７に冠瓦８を配置する。
野地板３には屋根裏と連通する換気口９を設けている。
【００２１】
換気部材３０は、片流れ屋根に施工される屋根瓦４と冠瓦８との間に設置される。換気部材３０は、通気経路を形成した換気役物である。
壁側用板金１は、片流れ屋根の壁面に施工される破風板６と冠瓦８との隙間を封止するように配置される。
野地面載置板材２１は、野地板３に載置され、垂下板材２４は壁面に配置される。野地面載置板材２１に形成している換気開口２７は、換気口９の位置に配置する。破風下地固定板材２５は、破風下地５にビスによって固定される。
破風下地固定板材２５を破風下地５に固定した後に、破風板６が設置される。
破風板６は、破風板のみこみ部Ａに上端部を挿入して設置される。破風板のみこみ部Ａに破風板６の上端部を配置することで、破風板のみこみ部Ａで破風板６の位置決めができるため施工性が向上する。
【００２２】
本実施例では、冠瓦８として三角冠瓦を用い、傾斜板材２３を三角冠瓦の内周面に当接させている。このように、本実施例によれば、片流れ屋根に対して、両棟で多く用いられている三角冠瓦を用いることができる。
また、本実施例では、棟桟７の上面の一部から傾斜板材２３の上面の一部までを柔軟性のあるテープ状防水部材４０で覆っている。このように、本実施例によれば、柔軟性のあるテープ状防水部材４０を用いることで、異なる仕様の冠瓦８に用いても防水性能を確保できる。
【００２３】
図２は、野地板３が破風下地５の上方に延出している場合における施工状態を示している。
図２に示す場合には、野地板３の上端部は、垂直板材２２と破風下地固定板材２５との間に形成された空間Ｂに配置される。
図３は、破風下地５が野地板３よりも上方に突出している場合における施工状態を示している。
図３に示す場合には、破風下地５の上端部は、垂直板材２２と破風下地固定板材２５との間に形成された空間Ｂに配置される。
図２及び図３に示すように、本実施の形態によれば、破風下地５が野地板３よりも上方に突出している場合でも、野地板３が破風下地５の上方に延出している場合でも、垂直板材２２と破風下地固定板材２５との間に形成した空間Ｂに、破風下地５の上端部又は野地板３の上端部を配置して、瓦用片流れ換気棟を施工できる。
【００２４】
図４は、本発明の他の実施例による瓦用片流れ換気棟を設置した状態を示す断面図である。
本実施例は、冠瓦８として片流れ冠瓦を用いた場合を示している。なお、上記実施例と同一機能部材には同一符号を付して説明を省略する。
本実施例では、垂下板材２４を片流れ冠瓦の内周面に当接させている。このように、本実施例によれば、片流れ冠瓦にも用いることができる。
また、本実施例では、棟桟７の上面の一部から垂下板材２４の外面の一部までを柔軟性のあるテープ状防水部材４０で覆っている。このように、本実施例によれば、柔軟性のあるテープ状防水部材４０を用いることで、異なる仕様の冠瓦８に用いても防水性能を確保できる。
【００２５】
図５は、本発明の更に他の実施例による瓦用片流れ換気棟を設置した状態を示す断面図である。
本実施例は、野地板３が破風下地５の上方に延出している場合における施工状態を示し、冠瓦８として７寸丸冠瓦を用い、傾斜板材２３を７寸丸冠瓦の内周面に当接させている。なお、上記実施例と同一機能部材には同一符号を付して説明を省略する。
【００２６】
図６は、本発明の更に他の実施例による瓦用片流れ換気棟を設置した状態を示す断面図である。
本実施例は、破風下地５が野地板３よりも上方に突出している場合における施工状態を示し、冠瓦８として７寸丸冠瓦を用い、傾斜板材２３を７寸丸冠瓦の内周面に当接させている。なお、上記実施例と同一機能部材には同一符号を付して説明を省略する。
【００２７】
以上のように本実施例によれば、換気部材３０と壁側用板金１とをそれぞれ分離した独立部材で構成し、換気部材３０は、屋根瓦４と冠瓦８との間に設置し、野地板３に載置される野地面載置板材２１によって破風板６と冠瓦８との隙間を封止することで、異なる仕様の冠瓦８に用いることができる。また、野地面載置板材２１に換気開口２７を形成しているため換気口９に対する換気開口２７の位置決めが容易にでき、施工性が向上する。
【産業上の利用可能性】
【００２８】
本発明は、特に粘土瓦を用いた建造物に適している。
【符号の説明】
【００２９】
１  壁側用板金
２  垂木
３  野地板
４  屋根瓦
５  破風下地
６  破風板
７  棟桟
８  冠瓦
９  換気口
１１  設置用板材
１２  捨水切用板材
２１  野地面載置板材
２２  垂直板材
２３  傾斜板材
２４  垂下板材
２５  破風下地固定板材
２６  連接板材
２７  換気開口
３０  換気部材
４０  テープ状防水部材
Ａ  破風板のみこみ部
Ｂ  空間
【図１】
0006427384.tif 000002
【図２】
0006427384.tif 000003
【図３】
0006427384.tif 000004
【図４】
0006427384.tif 000005
【図５】
0006427384.tif 000006
【図６】
0006427384.tif 000007